(57)【要約】  電気コネクタ装置は、少なくとも２つのピンと、少なくとも１つの側部スロットと、少なくとも１つのラッチを有することができ、プリント回路基板または他のユニットとの、安定した物理的接続と、安定した電気的接続を容易にする。電気コネクタ装置は、非千鳥配列の二列表面実装端子コネクタであり得る。
2020532045.tif 000002
【特許請求の範囲】
【請求項１】
第１のラッチおよび第２のラッチを含む少なくとも２つのラッチと、
第１の上側アームおよび第２の上側アームと、
第１の下側アームおよび第２の下側アームと、
複数の導電性のピンと、
第１のスロットおよび第２のスロットを含む、少なくとも２つのスロットとを備えた電気コネクタであって、
前記第１のラッチは、前記第１の上側アームにあり、前記第２のラッチは、前記第２の上側アームにあり、
前記第１のスロットは、前記第１の上側アームと前記第１の下側アームとの間に形成され、前記第２のスロットは、前記第２の上側アームと前記第２の下側アームとの間に形成され、
少なくとも２つの受容孔と、複数の端子と、少なくとも２つの縁部とを有するプリント回路基板が、
前記少なくとも２つのラッチのそれぞれが、２つの受容孔のうちのそれぞれ１つに受容され、前記導電性のピンのそれぞれが、２つの受容孔の間に配置され、前記端子のうちのそれぞれ１つに電気的に接続され、前記少なくとも２つの縁部のそれぞれが、２つのスロットのうちのそれぞれ１つに受容されたときに、
前記電気コネクタに固定される、電気コネクタ。
【請求項２】
前記ラッチの少なくとも１つが、前記受容孔の少なくとも１つに受容されたときに、クリック音が生じる、請求項１に記載の電気コネクタ。
【請求項３】
前記ピンが非千鳥配列である、請求項１に記載の電気コネクタ。
【請求項４】
前記端子が、表面実装端子である、請求項１に記載の電気コネクタ。
【請求項５】
前記ラッチの少なくとも１つが、前記スロットの少なくとも１つを部分的に遮断する、請求項１に記載の電気コネクタ。
【請求項６】
前記スロットの少なくとも１つが、前記電気コネクタの側部にある、請求項１に記載の電気コネクタ。
【請求項７】
前記ピンの少なくとも１つが、前記電気コネクタの本体から第１の距離で延び、前記ラッチの少なくとも１つが、前記電気コネクタの前記本体から、前記第１の距離よりも短い第２の距離で延びている、請求項１に記載の電気コネクタ。
【請求項８】
前記ラッチの少なくとも１つがフレキシブルである、請求項１に記載の電気コネクタ。
【請求項９】
少なくとも１つのラッチと、
少なくとも１つのスロットと、
少なくとも２つのピンとを備えたコネクタであって、
前記少なくとも１つのラッチが、ユニットに形成された孔に受容され、前記少なくとも１つのスロットが、前記ユニットの縁部を受容し、前記少なくとも２つのピンのそれぞれが、前記ユニットの端子のそれぞれに接触している、コネクタ。
【請求項１０】
前記端子が、表面実装端子である、請求項９に記載のコネクタ。
【請求項１１】
前記少なくとも１つのラッチが、前記少なくとも１つのスロットを部分的に遮断する、請求項９に記載のコネクタ。
【請求項１２】
前記少なくとも１つのラッチが、前記孔に受容されたときに、クリック音が生じる、請求項９に記載のコネクタ。
【請求項１３】
前記少なくとも１つのスロットの入口に、傾斜部が形成されている、請求項９に記載のコネクタ。
【請求項１４】
前記ピンが二列に配置されている、請求項９に記載のコネクタ。
【請求項１５】
コネクタをユニットに取り付けるためのラッチであって、前記ラッチは、前記コネクタを前記ユニットに安定して取り付けるために、受容孔に受容される、ラッチ。
【請求項１６】
前記ラッチがフレキシブルである、請求項１５に記載のラッチ。
【請求項１７】
前記ラッチがプラスチック製であり、前記コネクタおよび前記ユニットのうちから選択された１つに形成されたスロットを部分的に遮断するように構成されている、請求項１５に記載のラッチ。
【請求項１８】
少なくとも１つの受容孔と、
少なくとも１つの縁部と、
少なくとも２つの導電性の端子とを備えたユニット。
【請求項１９】
少なくとも１つのラッチと、少なくとも１つのスロットと、少なくとも２つのピンとを有するコネクタが、前記少なくとも１つのラッチが前記少なくとも１つの受容孔に受容されたときに、前記ユニットに固定される、請求項１８に記載のユニット。
【請求項２０】
少なくとも１つのラッチと、少なくとも１つのスロットと、少なくとも２つのピンとを有するコネクタが、前記少なくとも１つのスロットが前記少なくとも１つの縁部に受容されたときに、前記ユニットに係合される、請求項１８に記載のユニット。
【請求項２１】
少なくとも１つのラッチと、少なくとも１つのスロットと、少なくとも２つのピンとを有するコネクタが、前記ピンの少なくとも１つが前記導電性の端子の少なくとも１つに電気的に接続されたときに、前記ユニットに係合される、請求項１８に記載のユニット。
【請求項２２】
前記少なくとも２つの導電性の端子が、表面実装端子である、請求項１８に記載のユニット。
【請求項２３】
前記少なくとも２つの導電性の端子が、非千鳥配列である、請求項１８に記載のユニット。
【請求項２４】
コネクタをユニットに係合する方法であって、前記方法が、
コネクタに形成されたスロット内にユニットの縁部を配置すること、
前記コネクタに形成されたラッチを、前記ユニットに形成された受容孔内に配置すること、および、
前記コネクタのピンを前記ユニットの端子に接触させること
を含む方法。
【請求項２５】
前記ラッチが前記受容孔に配置されたときに、クリック音が生じる、請求項２４に記載の方法。
【発明の詳細な説明】
【技術分野】
【０００１】
［関連出願の相互参照］
この特許出願は、２０１７年７月７日に出願された米国仮特許出願第６２／５２９，６９５号の優先権を主張し、その全体が参照により本明細書に組み込まれる。
【０００２】
［技術分野］
本出願で開示される特徴は、一般に電気コネクタ装置に関連し得る。特に、本出願に開示された特徴は、一般に、表面実装端子（ＳＭＴ）用途に関連する電気的接続のための非千鳥配列の二列コネクタに関連し得る。
【発明の概要】
【０００３】
本出願で開示される特徴は、一般に電気コネクタ装置に関連し得る。電気コネクタ装置は、少なくとも２つのピンと、少なくとも１つのスロットと、少なくとも１つのラッチを有し得る。電気コネクタ装置は、プリント回路基板または他のユニットに固定することができる。プリント回路基板または他のユニットは、それぞれの端子が少なくとも２つのピンのうちのそれぞれ１つと電気的に接触するような少なくとも２つの端子を有していてもよく、少なくとも１つのラッチを受容するための少なくとも１つの受容孔を有していてもよく、少なくとも１つのスロットに受容される縁部を有していてもよい。少なくとも２つのピンおよび少なくとも２つの端子は導電性を有している。
【０００４】
電気コネクタ装置は、非千鳥配列の二列表面実装端子コネクタであり得る。本出願に開示される特徴は、一般に、表面実装端子（ＳＭＴ）用途に関連する電気的接続に使用される非千鳥配列の二列コネクタとして知られる電気コネクタ装置に関連し得る。
【０００５】
少なくとも２つのピンの長さは同じ長さを有し得る。これにより、製造が容易となり、高速データコネクタとしての使用が容易となる。ピンは、たとえば、ピンの上列とピンの下列を含み得る。上側ピンは、たとえば、プリント回路基板または他のユニットの上面の端子にはんだ付けされ得る。下側ピンは、たとえば、プリント回路基板または他のユニットの底面の端子にはんだ付けされ得る。
【０００６】
少なくとも１つのラッチは、抜去中にコネクタが簡単に端子から外れないように、電気コネクタ装置をプリント回路基板またはその他のユニットに固定し、少なくとも１つのラッチは、プリント回路基板または他のユニットに形成された少なくとも１つの受容孔に受容される。
【０００７】
本出願に開示された特徴の追加の態様、利点、および実施形態は、以下の詳細な説明、図面、および特許請求の範囲に記載されており、または、それらを考慮することによって明らかである。さらに、本出願に開示された特徴の前述の概要および以下の詳細な説明の両方は例示であり、特許請求の範囲を限定することなくさらなる説明を提供することを意図している。
【図面の簡単な説明】
【０００８】
【図１】本出願に開示される原理による、電気コネクタ装置およびプリント回路基板（ＰＣＢ）の分解斜視図である。
【図２】本出願に開示された原理による、プリント回路基板と係合した電気コネクタ装置を示す、図１の電気コネクタ装置およびプリント回路基板の斜視図である。
【図３】本出願に開示された原理による、図２の電気コネクタ装置およびプリント回路基板の上面図である。
【図４】本出願に開示された原理による、図２の電気コネクタ装置およびプリント回路基板の底面図である。
【図５】本出願に開示された原理による、図２の電気コネクタ装置およびプリント回路基板の背面図である。
【図６】図５の線６−６で切断された断面図である。
【図７】本出願に開示された原理による、図１の電気コネクタ装置およびプリント回路基板の正面図である。
【図８】本出願に開示された原理による、図２の電気コネクタ装置およびプリント回路基板の第２側面図である。
【図９】図３の線９−９で切断された断面図である。
【図１０】本出願に開示された原理による、図１の電気コネクタ装置の第２側面図である。
【図１１】本出願に開示された原理による、図１の電気コネクタ装置の斜視図である。
【図１２】本出願に開示された原理による、図１の電気コネクタ装置の斜視図である。
【図１３】本出願に開示された原理による、図１の電気コネクタ装置の斜視図である。
【図１４】図３の線１４−１４で切断された断面図である。
【図１５】図３の線１５−１５で切断された断面図である。
【発明を実施するための形態】
【０００９】
本出願で開示される特徴は、一般に電気コネクタ装置に関連し得る。電気コネクタ装置は、少なくとも２つのピンと、少なくとも１つの側部スロットと、少なくとも１つのラッチとを有し得る。プリント回路基板または他のユニットは、少なくとも２つの端子と、少なくとも１つの受容孔と、少なくとも１つの縁部とを有し得る。プリント回路基板または他のユニットの端子のそれぞれ１つは、電気コネクタ装置の少なくとも２つのピンのうちのそれぞれ１つと電気的に接触し得る。少なくとも１つの受容孔には、少なくとも１つのラッチが受容され得る。少なくとも１つの縁部は、少なくとも１つのスロットに受容され得る。
【００１０】
電気コネクタ装置は、プリント回路基板または他のユニットとの、安定した物理的接続および安定した電気的接続を促進することができる。
【００１１】
図１は、本出願に開示される原理による、電気コネクタ装置およびプリント回路基板（ＰＣＢ）の分解斜視図である。電気コネクタ装置は、非千鳥配列の二列表面実装端子（ＳＭＴ）コネクタであり得る。
【００１２】
本出願の電気コネクタ装置（本明細書ではコネクタとしても記載される）は、一般に参照符号１００で参照される。図１は、コネクタ１００の本体を示しており、上面開口部１０４がコネクタ１００の上面に形成されている。参照符号１１０は、コネクタ１００の前面を示し、参照符号１０６は、コネクタ１００の後面を示す。
【００１３】
図１は、コネクタ１００の第１の側部が少なくとも第１の側部スロット１１４、第１の側部ラッチ、および第１の側部傾斜部を有することを示している。第１の側部ラッチは一般に参照符号１１８で示されている。第１の側部傾斜部は一般に参照符号１２２で示されている。第１の側部傾斜部１２２は、第１の側部スロット１１４への入口に形成されている。
【００１４】
また、図１は、コネクタ１００の第２の側部が少なくとも、参照符号１２０で一般に参照される第２の側部ラッチと、参照符号１２４で一般に参照される第２の側部傾斜部とを有することを示している。
【００１５】
第１の側部ラッチ１１８はフレキシブルであり、第１の側部傾斜部１２２からわずかに上方に曲がることができ、第１の側部傾斜部１２２に向かってわずかに下方に曲がることができる。第１の側部ラッチ１１８は、プラスチックまたは他の材料で作ることができる。
【００１６】
コネクタ１００は、本出願に開示された原理に従って、参照符号１２６で一般的に参照される少なくとも２つのピンを含む。図１は、コネクタ１００が１０個のピン１２６を有する実施形態を示している。図１に示されるように、複数のピン１２６は同じ長さを有しており、二列になるように構成され、千鳥配列とはならない（not staggered）ように構成されている。ピン１２６は、端子１２６とも呼ばれ得る。
【００１７】
図１に示されるように、ピン（端子）１２６は、コネクタ１００の前面１１０から外側に延びている。特に、ピン（端子）１２６は、図１に示されるように、前面凹部１１２に位置する矩形の隆起ユニットから外側に延びている。
【００１８】
本出願に開示された原理に従って、異なる実施形態が可能であり、コネクタ１００は、例えば１０以外の多数のピン（端子）を有していてもよい。
【００１９】
図１は、プリント回路基板（ＰＣＢ）２００の本体も示している。プリント回路基板２００は、コネクタ１００を収容し、受容するための「Ｕ」字状受容領域２０８を有している。
【００２０】
本出願に開示された原理に従って、異なる実施形態が可能であり、プリント回路基板２００は、例えば１０以外の多数の端子を有していてもよい。
【００２１】
プリント回路基板２００は、コネクタ１００がプリント回路基板２００に係合したときに、第１の側部ラッチ１１８を受容するための第１の側部受容孔２０４を形成する。プリント回路基板２００はまた、コネクタ１００がプリント回路基板２００に係合したときに、第２の側部ラッチ１２０を受容するための第２の側部受容孔２０６を形成する。
【００２２】
プリント回路基板２００は、本出願に開示された原理に従って、参照符号２０２で一般的に参照される少なくとも１つの表面実装端子を形成する。
【００２３】
図２は、本出願に開示された原理による、プリント回路基板と係合した電気コネクタ装置を示す、図１の電気コネクタ装置およびプリント回路基板の斜視図である。図２は、コネクタ１００がプリント回路基板２００に係合したときに、コネクタ１００が受容領域２０８によって収容されていることを示している。また、図２は、コネクタ１００がプリント回路基板２００に係合したときに、プリント回路基板２００の縁部が第１の側部スロット１１４に受容されていることを示している。
【００２４】
コネクタ１００の第１の側部ラッチ１１８は、コネクタ１００がプリント回路基板２００に係合するときに、プリント回路基板２００の第１の側部受容孔２０４に入り込み、それにより、コネクタ１００が誤ってプリント回路基板２００から外れることを防止するのを補助する。コネクタ１００の第２の側部ラッチ１２０は、コネクタ１００がプリント回路基板２００に係合するときに、プリント回路基板２００の第２の側部受容孔２０６に入り込み、それにより、コネクタ１００が誤ってプリント回路基板２００から外れることを防止するのを補助する。
【００２５】
コネクタ１００がプリント回路基板２００に係合すると、コネクタ１００のピン（端子）１２６は表面実装端子２０２に接触する。ピン（端子）１２６のそれぞれ１つは、表面実装端子２０２のそれぞれ１つにはんだ付けされ得る。
【００２６】
図３は、本出願に開示された原理による、図２の電気コネクタ装置およびプリント回路基板の上面図である。図３は、コネクタ１００の上面およびプリント回路基板２００の上面を示している。図３は、プリント回路基板２００の上面に形成された５つの表面実装端子２０４ａを示している。
【００２７】
図４は、本出願に開示された原理による、図２の電気コネクタ装置およびプリント回路基板の底面図である。図４は、コネクタ１００の底面とプリント回路基板２００の底面を示している。コネクタ１００の底面には、底面突出部１０２が示されている。図４は、プリント回路基板２００の底面に形成された５つの表面実装端子２０４ｂを示している。
【００２８】
図３は、プリント回路基板２００の上面に５つの表面実装端子２０２ａがあることを示し、図４は、プリント回路基板２００の底面に５つの表面実装端子２０２ｂがあることを示し、合計１０個の表面実装端子があることを示している。本出願に開示された原理に従って、プリント回路基板２００が１０以外の多数の表面実装端子を有する異なる実施形態が利用可能である。
【００２９】
図５は、本出願に開示された原理による、図２の電気コネクタ装置およびプリント回路基板の背面図である。図５は、追加のコネクタ（図示せず）を収容することができるコネクタ１００の後面にある後面内部空間１０８を示している。図５はまた、後面内部空間１０８内の第１内側突起１２８および第２内側突起１３０を示している。図５に示されるように、ピン（端子）１２６は、後面内部空間１０８内へ後方に延びている。
【００３０】
図６は、図３の線６−６で切断された断面図である。図７は、本出願に開示された原理による、図１の電気コネクタ装置およびプリント回路基板の正面図である。図７は、第１の側部スロット１１４、第１の側部ラッチ１１８、および、第１の側部傾斜部１２２がコネクタ１００の第１の側部にあることを示している。図７はまた、第２の側部スロット１１６、第２の側部ラッチ１２０、および第２の側部傾斜部１２４が、コネクタ１００の第２の側部にあることを示している。第２の側部傾斜部１２４は、第２の側部スロット１１６への入口に形成される。
【００３１】
第２の側部ラッチ１２０はフレキシブルであり、第２の側部傾斜部１２４からわずかに上方に曲がることができ、第２の側部傾斜部１２４に向かってわずかに下方に曲がることができる。第２の側部ラッチ１２０は、プラスチックまたは他の材料で作ることができる。
【００３２】
図８は、本出願に開示された原理による、図２の電気コネクタ装置およびプリント回路基板の第２側面図である。図９は、図３の線９−９で切断された断面図である。
【００３３】
図１０は、本出願に開示された原理による、図１の電気コネクタ装置の第２側面図である。図１０は、第２の側部ラッチ前側傾斜部１４６、第２の側部ラッチ底縁部１５０、および、第２の側部ラッチ後面１５４を示している。
【００３４】
図１０に示されるように、第２の側部ラッチ前側傾斜部１４６は、下方に延び、第２の側部スロット１１６への入口を部分的に遮断する。図８、図９、図１０および図１２を参照すると、第２の側部ラッチ前側傾斜部１４６および第２の側部ラッチ底縁部１５０は、プリント回路基板２００の縁部が、第２の側部接続壁１４２に接触するのに十分な深さで第２の側部スロット１１６に入ることを許容するように、上方へ押し上げられなければならないことが分かる。
【００３５】
同様に、第１の側部ラッチ前側傾斜部１４４は、下方に延び、第１の側部スロット１１４への入口を部分的に遮断し、図１、図２および図１１を参照すると、第１の側部ラッチ前側傾斜部１４４および第１の側部ラッチ底縁部１４８は、プリント回路基板２００の縁部が、第１の側部接続壁１４０に接触するのに十分な深さで第１の側部スロット１１４に入ることを許容するように、上方へ押し上げられなければならないことが分かる。
【００３６】
図１１は、本出願に開示された原理による、図１の電気コネクタ装置の斜視図である。図１１は、コネクタ１００上の１０個のピン（端子）１２６を示している。
【００３７】
図１１は、第１の側部ラッチ前側傾斜部１４４、第１の側部ラッチ底縁部１４８、および、第１の側部ラッチ後面１５２を示している。図１１に示されるように、１０本のピン１２６は、５本のピンの第１のグループ１２６ａと、５本のピンの第２のグループ１２６ｂとを含んでいる。図１１に示されるように、ピンの第１のグループ１２６ａは、上列にある。上列は、コネクタ１００の上面に近い。上面開口部１０４は、コネクタ１００の上面に形成されている。図１１に示されるように、ピンの第２のグループ１２６ｂは、下列にある。下列は、コネクタ１００の底面に近い。底面突出部１０２は、コネクタ１００の底面に形成されている。
【００３８】
図１１に示されるように、第１の側部上側アーム１３２および第１の側部下側アーム１３６は、コネクタ１００の第１の側部に配置されている。第１の側部上側アーム１３２は、前面１１０に近い前端と、後面１０６に近い後端とを有している。第１の側部下側アーム１３６は、前面１１０に近い前端と、後面１０６に近い後端とを有している。
【００３９】
図１１に示されるように、第１の側部スロット１１４は、第１の側部上側アーム１３２と第１の側部下側アーム１３６との間に配置されている。第１の側部上側アーム１３２の前端は、第１の側部下側アーム１３６の前端から離間している。第１の側部上側アーム１３２の後端は、第１の側部接続壁１４０により、第１の側部下側アーム１３６の後端に接続されている。第１の側部接続壁１４０は、プリント回路基板２００の縁部が第１の側部スロット１１４内に入り込み過ぎないようにする。
【００４０】
図２に示されるように、コネクタ１００はプリント回路基板２００に係合し、プリント回路基板２００の一部は第１の側部スロット１１４内にあり、プリント回路基板２００の縁部は後面１０６の近くの第１の側部接続壁１４０に接触する。
【００４１】
第１の側部ラッチ１１８は、第１の側部上側アーム１３２の前端にある。第１の側部上側アーム１３２は、コネクタ１００の第１の側部にある。第１の側部上側アーム１３２は、第１の側部スロット１１４に沿って第１の側部スロット１１４の上を延びている。
【００４２】
第１の側部傾斜部１２２は、第１の側部下側アーム１３６の前端にある。第１の側部下側アーム１３６は、コネクタ１００の第１の側部にある。第１の側部下側アーム１３６は、第１の側部スロット１１４に沿って第１の側部スロット１１４の下を延びている。
【００４３】
図１２は、本出願に開示された原理による、図１の電気コネクタ装置の斜視図である。図１２は、ピン（端子）１２６が、前面凹部１１２に位置する矩形の隆起ユニットから外側に延びていることを示している。
【００４４】
コネクタ１００がプリント回路基板２００に係合すると、プリント回路基板２００の一部は第２の側部スロット１１６（例えば図７、図１０および図１２に示す）内に受容される。
【００４５】
図１２に示されるように、第２の側部上側アーム１３４および第２の側部下側アーム１３８は、コネクタ１００の第２の側部に配置されている。第２の側部上側アーム１３４は、前面１１０に近い前端と、後面１０６に近い後端とを有する。第２の側部下側アーム１３８は、前面１１０に近い前端と、後面１０６に近い後端とを有する。
【００４６】
第２の側部スロット１１６は、第２の側部上側アーム１３４と第２の側部下側アーム１３８との間に配置されている。第２の側部上側アーム１３４の前端は、第２の側部下側アーム１３８の前端から離間している。第２の側部上側アーム１３４の後端は、第２の側部接続壁１４２により、第２の側部下側アーム１３８の後端に接続されている。
【００４７】
第２の側部接続壁１４２は、プリント回路基板２００の縁部が第２の側部スロット１１６内に入り込み過ぎないようにする。図８および図９に示すように、コネクタ１００はプリント回路基板２００に係合し、プリント回路基板２００の一部は第２の側部スロット１１６内にあり、プリント回路基板２００の縁部は後面１０６の近くの第２の側部接続壁１４２に接触する。
【００４８】
第２の側部ラッチ１２０は、第２の側部上側アーム１３４の前端にある。第２の側部上側アーム１３４は、コネクタ１００の第２の側部にある。第２の側部上側アーム１３４は、第２の側部スロット１１６に沿って第２の側部スロット１１６の上を延びている。
【００４９】
第２の側部傾斜部１２４は、第２の側部下側アーム１３８の前端にある。第２の側部下側アーム１３８は、コネクタ１００の第２の側部にある。第２の側部下側アーム１３８は、第２の側部スロット１１６に沿って第２の側部スロット１１６の下を延びている。
【００５０】
図１３は、本出願に開示された原理による、図１の電気コネクタ装置の斜視図である。図１４は、図３の線１４−１４で切断された断面図である。図１４は、ピン（端子）１２６がコネクタ１００の前面１１０からコネクタ１００の後面内部空間１０８へ延びていることを示している。図１５は、図３の線１５−１５で切断された断面図である。
【００５１】
コネクタ１００をプリント回路基板２００に係合させる方法は以下の通りである。図１を参照すると、コネクタ１００は、プリント回路基板２００の受容領域２０８に向かう前進方向に移動される。
【００５２】
最初に、プリント回路基板２００の第１の縁部が、第１の側部ラッチ１１８と第１の側部傾斜部１２２との間の第１の側部スロット１１４に向かって移動し、プリント回路基板２００の第２の縁部も、第２の側部ラッチ１２０と第２の側部傾斜部１２４との間の第２の側部スロット１１６に向かって移動する。
【００５３】
プリント回路基板２００の第１の縁部は、第１の側部ラッチ前側傾斜部１４４に接触し、それにより、第１の側部ラッチ１１８を第１の側部傾斜部１２２から離れるように上方に押し上げる。また、プリント回路基板２００の第１の縁部は、第１の側部傾斜部１２２に乗り上げ、第１の側部スロット１１４に入り始める。プリント回路基板２００の上面は、第１の側部ラッチ底縁部１４８に接触し、プリント回路基板２００が第１の側部スロット１１４内で第１の側部接続壁１４０に向かってさらに奥深く移動する間、第１の側部ラッチ１１８を、上方へと曲げられた配置で保持する。
【００５４】
プリント回路基板２００の第２の縁部は、第２の側部ラッチ前側傾斜部１４６に接触し、それにより、第２の側部ラッチ１２０を第２の側部傾斜部１２４から離れるように上方に押し上げる。また、プリント回路基板２００の第２の縁部は、第２の側部傾斜部１２４に乗り上げ、第２の側部スロット１１６に入り始める。プリント回路基板２００の上面は、第２の側部ラッチ底縁部１５０に接触し、プリント回路基板２００が第２の側部スロット１１６内で第２の側部接続壁１４２に向かってさらに奥深く移動する間、第２の側部ラッチ１２０を、上方へと曲げられた配置で保持する。
【００５５】
プリント回路基板２００をコネクタ１００に物理的に固定するのを補助するために、第１の側部ラッチ１１８および第２の側部ラッチ１２０は、たとえば図３に示されるように、コネクタ１００の前面１１０を超えて、プリント回路基板２００に向かって前方に延びるように構造的に構成されている。
【００５６】
次に、コネクタ１００およびプリント回路基板２００は、互いに向かって、（１）プリント回路基板２００の第１の縁部が、第１の側部ラッチ１１８と第１の側部傾斜部１２２との間を、コネクタ１００の後面１０６に向かって移動し、プリント回路基板２００の第１の縁部が第１の側部スロット１１４に入り、（２）プリント回路基板２００の第２の縁部が、第２の側部ラッチ１２０と第２の側部傾斜部１２４との間を、コネクタ１００の後面１０６に向かって移動し、プリント回路基板２００の第２の縁部が第２の側部スロット１１６に入るようにされる。
【００５７】
プリント回路基板２００をコネクタ１００に電気的に接続するのを補助するために、ピン（端子）１２６は、前面凹部１１２の領域からコネクタ１００の前面１１０において外側に延びている。
【００５８】
コネクタ１００がプリント回路基板２００に係合すると、ピンの上列の複数のピン１２６ａのそれぞれ１つは、プリント回路基板２００の上面の表面実装端子２０２ａのそれぞれと電気的接続を形成する（図３、図１１および図１５参照）。
【００５９】
また、コネクタ１００がプリント回路基板２００に係合すると、ピンの下列の複数のピン１２６ｂのそれぞれ１つは、プリント回路基板２００の底面の表面実装端子２０２ｂのそれぞれと電気的接続を形成する（図４、図１１および図１５参照）。
【００６０】
コネクタ１００は、第１の側部ラッチ１１８が第１の側部受容孔２０４に入り込むとき、および、第２の側部ラッチ１２０が第２の側部受容孔２０６に入り込むときに、プリント回路基板２００に物理的に固定される。また、ピン１２６が表面実装端子２０２にはんだ付けされた場合、これは、コネクタ１００とプリント回路基板２００との間の物理的および電気的接続を促進する。
【００６１】
第１の側部ラッチ１１８が第１の側部受容孔２０４に入り込むときに、「クリック」音などの音が聞こえる。第１の側部ラッチ後面１５２は平坦であり、第１の側部ラッチ１１８を第１の側部受容孔２０４に保持するのを補助する。
【００６２】
第２の側部ラッチ１２０が第２の側部受容孔２０６に入り込むときに、「クリック」音などの音が聞こえる。第２の側部ラッチ後面１５４は平坦であり、第２の側部ラッチ１２０を第２の側部受容孔２０６に保持するのを補助する。
【００６３】
図２および図１４に示されるように、コネクタ１００がプリント回路基板２００に係合するとき、たとえば、少なくとも１つのピン（端子）１２６ａの一部は、少なくとも１つの表面実装端子２０２ａの一部と接触する。少なくとも１つのピン（端子）１２６ａは、少なくとも１つの表面実装端子２０２ａにはんだ付けされ得る。さらに、ピン（端子）１２６のそれぞれは、表面実装端子２０２のそれぞれにはんだ付けされ得る。
【００６４】
図３および図１４に図示された実施形態に示されるように、たとえば、ピン（端子）１２６は、前面１１０から第１の距離で延び、第１の側部ラッチ１１８は、前面１１０から第２の距離で延び、第１の距離は第２の距離よりも長い。しかし、他の実施形態が、本出願で開示される原理に従って、第１の側部ラッチ１１８が前面１１０からピン（端子）１２６よりもさらに延びるような構造的構成を有していてもよい。
【００６５】
図２に示されるように、プリント回路基板２００がコネクタ１００に固定されると、たとえば、コネクタ１００の１０本のピン（端子）１２６のそれぞれは、プリント回路基板２００の１０個の表面実装端子２０２のそれぞれと電気的に接触する。
【００６６】
本出願に開示される原理に従い、コネクタは、以下の特徴、少なくとも１つの受容孔、少なくとも２つの端子、および、少なくとも１つの縁部のうちの１つまたは２つ以上を有するプリント回路基板または他のユニットと係合し得る。
【００６７】
本出願に開示された原理に従い、追加の実施形態を以下のように説明することができる。コネクタは、以下の特徴、少なくとも１つの受容孔、少なくとも２つの端子、および、少なくとも１つの縁部のうちの１つまたは２つ以上を有する、プリント回路基板ではないユニットと係合してもよい。また、このユニットは、様々な異なるタイプの導電性端子を有していてもよく、図面に示されたタイプの端子のみに限定されない。
【００６８】
本出願に開示される原理に従い、コネクタは、図１１に開示された特徴のすべてを有する必要はない。たとえば、コネクタは、以下の特徴、少なくとも１つのラッチ、少なくとも２つのピン、および、少なくとも１つのスロットのうちの１つまたは２つ以上のみを有する場合、本出願で開示された原理に従う。
【００６９】
ピン１２６以外のコネクタ１００のすべての構成要素は、たとえばプラスチックなどの絶縁体である１つまたは２つ以上の材料により形成され得る。ピン１２６は、たとえば金属など、導電性の１つまたは２つ以上の材料で形成され得る。
【００７０】
第１の側部上側アーム１３２および第１の側部下側アーム１３６は、コネクタ１００の本体と一体的に形成することができる。第２の側部上側アーム１３４および第２の側部下側アーム１３８は、コネクタ１００の本体と一体的に形成することができる。
【００７１】
第１の側部上側アーム１３２および第１の側部下側アーム１３６は、コネクタ１００の本体と１つの一体物になるように成形することができる。第２の側部上側アーム１３４および第２の側部下側アーム１３８は、コネクタ１００の本体と１つの一体物になるように成形することができる。
【００７２】
図１は、コネクタ１００が、少なくとも２つのラッチ１１８、１２０、少なくとも２つのスロット１１４、１１６、および、少なくとも２つのピン１２６を有し、一方、プリント回路基板２００が、少なくとも２つの受容孔２０４、２０６、それぞれがスロット１１４、１１６のそれぞれ１つに受容される少なくとも２つの縁部、および、それぞれが複数のピン１２６のそれぞれ１つに電気的に接続される少なくとも２つの端子２０２を有する、好ましい実施形態を示している。
【００７３】
異なる実施形態では、プリント回路基板２００は、プリント回路基板ではないユニットに置き換えることができ、このユニットは、たとえば、少なくとも２つの受容孔２０４、２０６、それぞれがスロット１１４、１１６のそれぞれ１つに受容される少なくとも２つの縁部、および、それぞれが複数のピン１２６のそれぞれ１つに電気的に接続される少なくとも２つの端子２０２を有している。
【００７４】
異なる実施形態では、コネクタ１００が１つのラッチのみを有するように形成し、一方、プリント回路基板２００または他のユニットは１つの受容孔のみを有するように形成してもよい。すなわち、異なる実施形態では、コネクタ１００が、ラッチ１１８を有し、ラッチ１２０を有さないように形成することができ、一方、プリント回路基板２００または他のユニットは、受容孔２０４を有し、受容孔２０６を有さないように形成されていてもよい。
【００７５】
異なる実施形態では、コネクタ１００は、１つのスロットのみを有するように形成されていてもよい。すなわち、異なる実施形態では、コネクタ１００は、たとえば、スロット１１４を有し、スロット１１６を有さないように形成されていてもよい。
【００７６】
異なる実施形態では、コネクタ１００は、３つ以上のラッチ、または３つ以上のスロット、または３つ以上のラッチおよび３つ以上のスロットを有するように形成されていてもよい。また、プリント回路基板２００または他のユニットは、３つ以上の受容孔、またはコネクタ１００のスロットに受容される３つ以上の縁部、または、３つ以上の受容孔およびコネクタ１００のスロットに受容される３つ以上の縁部を有するように形成されていてもよい。
【００７７】
前述の説明は本発明の好ましい実施形態に向けられているが、他の変形および修正は、当業者には明らかであり、本出願に開示された原理の精神または範囲から逸脱することなくなされ得ることに留意されたい。さらに、本発明の一実施形態に関連して説明される特徴は、明示的に上記で述べられていなくても、他の実施形態と併せて使用され得る。
【符号の説明】
【００７８】
１００  コネクタ
１０２  底面突出部
１０４  上面開口部
１０６  後面
１０８  後面内部空間
１１０  前面
１１２  前面凹部
１１４  第１の側部スロット
１１６  第２の側部スロット
１１８  第１の側部ラッチ
１２０  第２の側部ラッチ
１２２  第１の側部傾斜部
１２４  第２の側部傾斜部
１２６  ピン
１２６ａ  上列のピン
１２６ｂ  下列のピン
１２８  第１内側突起
１３０  第２内側突起
１３２  第１の側部上側アーム
１３４  第２の側部上側アーム
１３６  第１の側部下側アーム
１３８  第２の側部下側アーム
１４０  第１の側部接続壁
１４２  第２の側部接続壁
１４４  第１の側部ラッチ前側傾斜部
１４６  第２の側部ラッチ前側傾斜部
１４８  第１の側部ラッチ底縁部
１５０  第２の側部ラッチ底縁部
１５２  第１の側部ラッチ後面
１５４  第２の側部ラッチ後面
２００  プリント回路基板
２０２  表面実装端子
２０２ａ  上面実装端子
２０２ｂ  底面実装端子
２０４  第１の側部受容孔
２０６  第２の側部受容孔
２０８  受容領域
【図１】
2020532045.tif 000003
【図２】
2020532045.tif 000004
【図３】
2020532045.tif 000005
【図４】
2020532045.tif 000006
【図５】
2020532045.tif 000007
【図６】
2020532045.tif 000008
【図７】
2020532045.tif 000009
【図８】
2020532045.tif 000010
【図９】
2020532045.tif 000011
【図１０】
2020532045.tif 000012
【図１１】
2020532045.tif 000013
【図１２】
2020532045.tif 000014
【図１３】
2020532045.tif 000015
【図１４】
2020532045.tif 000016
【図１５】
2020532045.tif 000017
【国際調査報告】
2020532045.tif 000018